(57)【要約】【課題】履き易く、着用感の低下の問題がなく、足甲部中央縫合ラインとその延長部ラインによるすっきりした外観を保持し、見栄えが良好な足袋を提供する。【解決手段】足甲側の中央縫合ライン2の上方開閉部に、テープ状台布3aが取り付けられその長手方向に間隔を置いて複数個の面状ファスナー7a,８aが設けられ、外甲部側の開閉部近傍の肌側面に、外甲部側の開閉部縁4b近傍に複数個の面状ファスナー7b,8bが設けられ、前記内甲部側の面状ファスナーの横幅w1は、外甲部側の面状ファスナーの横幅w2並びに内甲部側の前記テープ状台布3aの横幅w3より小さく且つ、内甲部側の前記テープ状台布の縁15より、内甲部側の面状ファスナーの前記内甲部側の開閉部縁側の縁18が前記テープ状台布の横幅方向内側に入る位置に取り付けられている前開きタイプの足袋。【選択図】        図１
0003128956.tif 000002
【実用新案登録請求の範囲】
【請求項１】
足甲側の足上部被覆部を構成する内甲部と外甲部との中央縫合ラインの前足首から足甲ほぼ中央部近傍より若干足首側寄りまでを開閉部として開閉可能にし、前記開閉部の内甲部側の開閉部縁に面状ファスナー取り付け用のテープ状台布が取り付けられていて、前記内甲部側のテープ状台布の外側面にその長手方向に間隔を置いて複数個の面状ファスナーが設けられており、一方、外甲部側の開閉部近傍の肌側面に、外甲部側の開閉部縁から外にはみ出さないように且つ前記内甲部側の面状ファスナーと係止可能に対向する位置に外甲部側の複数個の面状ファスナーが設けられており、前記内甲部側の面状ファスナーはその横幅が対向する外甲部側の面状ファスナーの横幅並びに前記内甲部側の前記テープ状台布の横幅より小さく且つ、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に入る位置に取り付けられていることを特徴とする前開きタイプの足袋。
【請求項２】
足甲側の足上部被覆部を構成する内甲部と外甲部との中央縫合ラインの前足首から足甲ほぼ中央部近傍より若干足首側寄りまでを開閉部として開閉可能にし、前記開閉部の内甲部側の開閉部縁並びに外甲部側の開閉部縁に、テープ状台布が取り付けられており、内甲部側に位置するテープ状台布と外甲部側に位置するテープ状台布のそれぞれの対抗面に互いに係止可能な面状ファスナーが取り付けられている前開きタイプの足袋であって、
前記テープ状台布は、その幅のほぼ中央で二つ折りにしたテープ状台布からなり、前記テープ状台布の長手方向に伸びる二つの開放縁で、前記開閉部縁を挟むように、テープ状台布の長手方向の開放縁が前記開閉部縁に縫合され、
かつ、内甲部側に位置するテープ状台布の外側面にその長手方向に間隔を置いて複数個の面状ファスナーが設けられており、
外甲部側に位置するテープ状台布は、前記開閉部縁との縫合部分から足袋内側に折り曲げられて、前記開閉部縁との縫合部分とは反対側の縁部の少なくとも上部近傍が足袋本体の裏側に縫合され、表れたテープ状台布の肌側面に外甲部側の開閉部縁から外にはみ出さないように且つ前記内甲部側の面状ファスナーと係止可能に対向する位置に外甲部側の複数個の面状ファスナーが設けられており、前記内甲部側の面状ファスナーは、その横幅が対向する外甲部側の面状ファスナーの横幅並びに前記内甲部側の前記テープ状台布の横幅より小さく且つ、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に入る位置に取り付けられていることを特徴とする前開きタイプの足袋。
【請求項３】
前記内甲部側の面状ファスナーが、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に３〜１０ｍｍ入る位置に取り付けられている請求項１又は２のいずれか1項に記載の前開きタイプの足袋。
【請求項４】
前記内甲部側の面状ファスナーが、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に５〜８ｍｍ入る位置に取り付けられている請求項１又は２のいずれか1項に記載の前開きタイプの足袋。
【請求項５】
前記内甲部側の面状ファスナーの横幅が前記外甲部側の面状ファスナーの横幅の５０〜８０％である請求項１〜４のいずれか1項に記載の前開きタイプの足袋。
【請求項６】
内甲部側並びに外甲部側に設けられた前記面状ファスナーが、内甲部側並びに外甲部側にそれぞれ２個ないし３個づつ設けられている請求項１〜５のいずれか1項に記載の前開きタイプの足袋。
【請求項７】
内甲部側の面状ファスナーの平面形状はほぼ丸形状の面状ファスナーであり、外甲部側の面状ファスナーの平面形状は横長のほぼ楕円形状の面状ファスナーであって長径が前記内甲部側の面状ファスナーの直径より大きい請求項１〜６のいずれか1項に記載の前開きタイプの足袋。
【請求項８】
前記内甲部側のテープ状台布の少なくとも面状ファスナーが設けられている面の色又は模様が足袋本体を構成する布の表側の色又は模様と異なる請求項１〜７のいずれか1項に記載の前開きタイプの足袋。
【請求項９】
前記内甲部側のテープ状台布の少なくとも面状ファスナーが設けられている面の色又は模様が足袋本体を構成する布の表側の色又は模様とほぼ同一である請求項１〜７のいずれか1項に記載の前開きタイプの足袋。
【請求項１０】
少なくとも足底部以外の足袋本体を構成する布が、コージュロイからなり、コージュロイの立毛畝のある面を足袋肌側面にした請求項１〜９のいずれか1項に記載の前開きタイプの足袋。
【請求項１１】
少なくとも足袋本体を構成する布が、伸縮性を有する布からなる請求項１〜１０のいずれか1項に記載の前開きタイプの足袋。
【考案の詳細な説明】
【技術分野】
【０００１】
本考案は、足袋に関するものである。特に本考案は、脱着が容易で、履き心地もよく、見栄えのよい足袋に関するものである。
【背景技術】
【０００２】
従来の伝統的な足袋は、例えば図８（右足用の足袋の足の右親指側から見た斜視図）に示すように足の足底部（この図８では足底部は見えていない）と、足甲部と踵部並びにほぼ足首のくるぶしまでを覆う足上部被覆部６０（６０ａが親指側足上部被覆部（以下、「内甲部側足上部被覆部」と称する）、６０ｂが人差し指〜小指側足上部被覆部［以下単に、「外甲部側足上部被覆部」と略称する］）とからなり、足上部被覆部６０の足甲部のほぼ中央（若干親指側寄り）には、内甲部側足上部被覆部６０ａと外甲部側足上部被覆部６０ｂとを縫合する足甲部中央縫合ライン６１で内甲部側足上部被覆部６０ａと外甲部側足上部被覆部６０ｂとが縫合されている。内甲部側の後側近傍側面に、脱着用の開閉部６３として、こはぜ（小鉤）と称する係止手段が設けられ、足上部被覆部６０の爪先側の形状は、通常、親指部分６２ａとそれ以外の足指をまとめて収納する部分６２ｂ（以下単に「小指側指部分」と略称する）の２つの指袋部分に分かれて形成されおり、足袋を着用する際には、こはぜ６４と係止糸６５からなる係止手段をはずして脱着用の開閉部６３を開いて足袋を着用し、こはぜ部（こはぜ６４と係止糸６５）で係止して足袋を足に固定する方式が主に用いられている。
【０００３】
この伝統的な足袋は和服を着用する場合に、足部を美しく見せる機能を有している。特に足甲部中央縫合ライン６１が目につきやすいことからも、足甲部中央縫合ライン６１が上部まで、ほぼ均一なきれいな線状に形成されていることが好ましいが、従来の足袋は、内甲部側足上部被覆部６０ａと外甲部側足上部被覆部６０ｂとが縫合により足甲部中央縫合ライン６１が形成されているので、この条件が満足されている。
【０００４】
しかしながら、伝統的な従来の足袋は、親指側の後側近傍側面に設けられた、こはぜ部の係止手段をはずして脱着用の開閉部６３を開いて足袋を着用するので、こはぜをはずしても、足袋を着用する場合、こはぜより前側の部分は袋状であり、着用する場合に足を前に突っ込まなければならず、運動靴の紐を緩めて履く場合のように、全体を緩めた状態にすることによって履き易いという状態にはなりにくい問題がある。しかもこはぜ部は、通常、かかと側に近い位置に設けられており、従って、特に、身体の柔軟性が低下してくる老齢者には、自分で着用しにくく、仮に補助者に履かせてもらうにしても、足を前に突っ込ませるのに摩擦抵抗などがかなり作用し、なかなか履かせづらいという問題がある。特にお風呂上りの直後などは、一層この傾向が強くなる。
【０００５】
そこで、この点を改良するために、内甲部側の後側近傍側面にこはぜ部からなる係止手段や脱着用の開閉部６３を設ける代わりに、図９に示すように、足甲部中央縫合ライン６１の上方部分をチャックなどと称されるジッパー７０で開放できるように開閉自在部を設け、足甲上部がジッパー７０の開放により、前述した様に運動靴の紐を緩めて履く場合のように、全体が緩んだ状態になって履き易くすることが出来る足袋が提案されている（下記特許文献１参照）。
【０００６】
しかし、通常のジッパー７０は金属あるいは固体状のプラスチックから構成さているので、着用した場合に、長時間着用したり、正座するとジッパー７０の金属あるいは固体状のプラスチック部分が足の甲に当たり、足の甲が痛くなり着用感がかなり悪くなるという問題が生じる。またジッパーは、靴の紐のように足の大きさに応じて紐を結ぶまでの長さを調節したり、ゆるめに履きたい場合に開閉自在部を閉じた状態での足周径方向の寸法を調節できないと言う問題がある。
【０００７】
そこで、この問題を解決するために、要介護者用足袋として、足甲部中央縫合ライン６１の上方部分を開放できるようにすることは同様であるが、図１０に示すように、ジッパーの代わりに、開閉ベルト８０を設けて前記開閉ベルト８０の開閉の係止手段として、布状のいわゆる面状ファスナー８１，８２を用いることが提案されている（下記特許文献２参照）。
【０００８】
しかし、この様に足袋の表面に足甲部中央縫合ラインの延長部（足甲部中央縫合ラインの上方部分の開閉自在部）を開閉ベルト８０で横切ることにより、足甲部中央縫合ラインとその延長部ラインによるすっきりした外観が低下してしまい、足甲部中央縫合ラインやその延長部が上部まで、ベルトなどでさえぎられずにほぼ均一なきれいな線状に形成されているという従来の伝統的な足袋の清楚な美しさが失われるという問題が生じる。
【特許文献１】特開２０００−３１４０６６号公報
【特許文献２】特開２００６−１３２０６３号公報
【考案の開示】
【考案が解決しようとする課題】
【０００９】
本考案は、上記従来の問題点を解決し、高齢者や子供も含めて誰にでも履き易く、長時間着用したり、正座してもジッパーの場合のように、足の甲が痛くなり着用感がかなり悪くなるという問題がなく、着用感が低下せず、且つ、足甲部中央縫合ラインとその延長部ラインによるすっきりした外観を保持し、見栄えが良好な足袋を提供することを目的とする。
【課題を解決するための手段】
【００１０】
前記目的を達成するために本考案の足袋は次のものである。
【００１１】
（１）足甲側の足上部被覆部を構成する内甲部と外甲部との中央縫合ラインの前足首から足甲ほぼ中央部近傍より若干足首側寄りまでを開閉部として開閉可能にし、前記開閉部の内甲部側の開閉部縁に面状ファスナー取り付け用のテープ状台布が取り付けられていて、前記内甲側のテープ状台布の外側面にその長手方向に間隔を置いて複数個の面状ファスナーが設けられており、一方、外甲部側の開閉部近傍の肌側面に、外甲部側の開閉部縁から外にはみ出さないように且つ前記内甲部側の面状ファスナーと係止可能に対向する位置に外甲部側の複数個の面状ファスナーが設けられており、前記内甲部側の面状ファスナーはその横幅が対向する外甲部側の面状ファスナーの横幅並びに前記内甲部側の前記テープ状台布の横幅より小さく且つ、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に入る位置に取り付けられていることを特徴とする前開きタイプの足袋。
【００１２】
（２）足甲側の足上部被覆部を構成する内甲部と外甲部との中央縫合ラインの前足首から足甲ほぼ中央部近傍より若干足首側寄りまでを開閉部として開閉可能にし、前記開閉部の内甲部側の開閉部縁並びに外甲部側の開閉部縁に、テープ状台布が取り付けられており、内甲部側に位置するテープ状台布と外甲部側に位置するテープ状台布のそれぞれの対抗面に互いに係止可能な面状ファスナーが取り付けられている前開きタイプの足袋であって、
前記テープ状台布は、その幅のほぼ中央で二つ折りにしたテープ状台布からなり、前記テープ状台布の長手方向に伸びる二つの開放縁で、前記開閉部縁を挟むように、テープ状台布の長手方向の開放縁が前記開閉部縁に縫合され、
かつ、内甲部側に位置するテープ状台布の外側面にその長手方向に間隔を置いて複数個の面状ファスナーが設けられており、
外甲部側に位置するテープ状台布は、前記開閉部縁との縫合部分から足袋内側に折り曲げられて、前記開閉部縁との縫合部分とは反対側の縁部の少なくとも上部近傍が足袋本体の裏側に縫合され、表れたテープ状台布の肌側面に外甲部側の開閉部縁から外にはみ出さないように且つ前記内甲部側の面状ファスナーと係止可能に対向する位置に外甲部側の複数個の面状ファスナーが設けられており、前記内甲部側の面状ファスナーはその横幅が対向する外甲部側の面状ファスナーの横幅並びに前記内甲部側の前記テープ状台布の横幅より小さく且つ、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に入る位置に取り付けられていることを特徴とする前開きタイプの足袋。
【００１３】
（３）前記内甲部側の面状ファスナーが、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に３〜１０ｍｍ入る位置に取り付けられている前記（１）又は（２）項のいずれか1項に記載の前開きタイプの足袋。
【００１４】
（４）前記内甲部側の面状ファスナーが、前記内甲部側の前記テープ状台布の縁のうち内甲部側の開閉部縁へ取り付けられている側の縁より、前記内甲部側の面状ファスナーの前記内甲部側の開閉部縁側の縁が前記テープ状台布の横幅方向内側に５〜８ｍｍ入る位置に取り付けられている前記（１）又は（２）項のいずれか1項に記載の前開きタイプの足袋。
【００１５】
（５）前記内甲部側の面状ファスナーの横幅が前記外甲部側の面状ファスナーの横幅の５０〜８０％である前記（１）〜（４）項のいずれか1項に記載の前開きタイプの足袋。
【００１６】
（６）前記（１）〜（５）項のいずれか１項に記載の前開きタイプの足袋においては、内甲部側並びに外甲部側に設けられた前記面状ファスナーが、内甲部側並びに外甲部側にそれぞれ２個ないし３個づつ設けられていることが好ましい。
【００１７】
（７）前記（１）〜（６）項のいずれか１項に記載の前開きタイプの足袋においては、内甲部側の面状ファスナーの平面形状はほぼ丸形状の面状ファスナーであり、外甲部側の面状ファスナーの平面形状は横長のほぼ楕円形状の面状ファスナーであって長径が前記内甲部側の面状ファスナーの直径より大きいことが好ましい。
【００１８】
（８）前記（１）〜（７）項のいずれか１項に記載の前開きタイプの足袋においては、内甲部側のテープ状台布の少なくとも面状ファスナーが設けられている面の色又は模様が足袋本体を構成する布の表側の色又は模様と異なることが好ましい。
【００１９】
（９）前記（１）〜（７）項のいずれか１項に記載の前開きタイプの足袋においては、内甲部側のテープ状台布の少なくとも面状ファスナーが設けられている面の色又は模様が足袋本体を構成する布の表側の色又は模様とほぼ同一であることが好ましい。
【００２０】
（１０）前記（１）〜（９）項のいずれか１項に記載の前開きタイプの足袋においては、少なくとも足底部以外の足袋本体を構成する布が、コージュロイからなり、コージュロイの立毛畝のある面を足袋肌側面にした足袋であることが好ましい。
【００２１】
（１１）前記（１）〜（１０）項のいずれか1項に記載の前開きタイプの足袋においては、少なくとも足袋本体を構成する布が、伸縮性を有する布からなることが好ましい。
【考案の効果】
【００２２】
本考案の足袋は、開閉部が前開きタイプであるので、高齢者や子供も含めて誰にでも履き易く、開閉部に面状ファスナーが用いられているので、長時間着用したり、正座してもジッパーの場合のように、足の甲が痛くなり着用感がかなり悪くなるという問題がなく、着用感が低下せず、且つ、上述の構造としたので、足甲部中央縫合ラインとその延長部ラインによるすっきりした外観を保持し、見栄えが良好な足袋を提供できる。また、内甲部側（親指と小指を基準にとれば親指側の甲部を内甲部と称している。以下、同様の基準である。）に位置している面状ファスナーと外甲部側（親指と小指を基準にとれば小指側の甲部を外甲部と称している。以下、同様の基準である。）に位置する面状ファスナーの対向面をあわせて開閉部を閉じる場合に、合わせ目を一致させて面状ファスナーを閉じた場合には、開閉部のラインも内甲部と外甲部との中央縫合ラインの延長線上にきれいに沿うことができ、しかも、外甲部側の開閉部縁と内甲部側の開閉部縁の段差があまり生じないか、生じたとしても外甲部側の方が若干高めになる構造なので、内甲部側の段差が高くなっている場合に較べて、内股部側から覗かないと外部からは、外甲部側の段差が見えにくく、足甲部中央縫合ライン及びその延長部である開閉部のラインが上部まで、ほぼ均一なきれいな線状に形成されて見え、清楚な美しさを保持することができる。
【００２３】
また、面状ファスナーをあわせて開閉部を閉じる場合に、合わせ位置を少しずらせることにより、開閉部を閉じた状態での足周径方向の寸法を調整することができる。この場合、合わせ位置を足周径方向の寸法が若干大きくなるようにずらした場合に、内甲部側のテープ状台布の一部が少し露出して外部から見えることになるが、もし、当該テープ状台布の少なくとも面状ファスナーが設けられている面の色又は模様が足袋本体を構成する布の表側の色又は模様と異なる場合には、例えば、伊達衿や重ね衿の如く見えてお洒落な感じを、かもし出すことができ好ましい。また、もし、当該テープ状台布の少なくとも面状ファスナーが設けられている面の色又は模様が足袋本体を構成する布の表側の色又は模様とほぼ同一である場合には、開閉部が目立ちにくく好ましい。また、更に、前記内甲部側の面状ファスナーの横幅は、対向する外甲部側の面状ファスナーの横幅より小さく、言い換えれば、外甲部側の面状ファスナーの横幅が前記内甲部側の面状ファスナーの横幅より大きいので、着用者の足のサイズにより前述のように合わせ目を少々ずらした場合でも、対向する面状ファスナー間の接触面積があまり変わらないと言う利点がある。更に、前記内甲部側の面状ファスナーは、当該ファスナーの前記内甲部側の開閉部縁側の縁が前記テープ状台布の横幅方向内側に入る位置に取り付けられているので前述のように合わせ目を少々ずらした場合でも、内甲部側の面状ファスナーの一部が露出しないという利点もある。特に、内甲部側の面状ファスナーの平面形状をほぼ丸形状の面状ファスナーとした場合には、仮に当該面状ファスナーの一部が露出しても、全面ベタに設けられた面状ファスナー、その他の形状の面状ファスナーに較べて、平面形状がほぼ丸形状の複数の面状ファスナーの丸円弧部が少し表れる程度に見えることになり、お洒落に見えるという利点がある。また、面状ファスナーは、開閉部縁の長手方向に間隔を置いて複数個に分けて取り付けられているので、全面ベタに設けられた面状ファスナーに較べて、開閉部縁の足甲中央ラインのカーブに沿ったカーブをきれいに出すことができるという利点がある。しかも全面ベタに設けられた面状ファスナーの場合に正座した際に不必要にかかってくる応力により長時間座っていた場合に痛みが生じるような場合でも、複数個の面状ファスナーと面状ファスナーの間などの面状ファスナーの存在しない部分で応力を緩和して逃がすことができ、痛みの発生を緩和できる。しかも面状ファスナーが開閉部縁に沿う方向で長手方向に間隔を置いて複数個設けられているので、おなじ大きさの面ファスナーが１個しか存在しない場合に較べて、合わせ面にズレが生じることも防止できる。
【考案を実施するための最良の形態】
【００２４】
以下、本考案の足袋の理解を容易にするために、図面を引用しながら、好ましい具体的実施の形態例について説明するが、本考案は、この具体的実施の形態例のみに限定されるものではない。
【００２５】
図１は、本考案の足袋（左足用）の一実施形態例を示す開閉部を開いた状態の正面斜視図である。図２は、図１に示した足袋の開閉部を閉じた状態の正面斜視図である。また、図３は、図３（ａ）が、図１の内甲部側の開閉部縁近傍の部分拡大平面図、図３（ｂ）が、図１の外甲部側の開閉部縁近傍の肌側面からみた部分拡大平面図である。尚、図３にのみに付した参照符号があるが、これらを他の対応する図面の対応する箇所に付けると、複雑になり図面が見にくくなるので、図３のみ付した参照符号は、図３を参照して、他の対応する図面の対応する箇所も同様に理解されるものである。
【００２６】
図１、図２において、１が足甲部と踵部並びにほぼ足首のくるぶしを覆う足上部被覆部（１ａが内甲部側足上部被覆部、１ｂが外甲部側足上部被覆部）である。本考案の足袋は、足甲側の足上部被覆部１を構成する内甲部と外甲部との中央縫合ライン２の前足首９（図２参照）から足甲ほぼ中央部近傍より若干足首側寄りの位置１０（図２参照）までを縫合せずに開閉部として開閉可能にし、前記開閉部の内甲部側の開閉部縁４ａに、面状ファスナー取り付け用のテープ状台布３ａが取り付けられていて、前記テープ状台布３ａの外側面にその長手方向に間隔を置いて複数個（この場合は７ａと８ａの２個）の平面形状が丸形状の面状ファスナーが設けられており、一方、外甲部側の開閉部近傍の肌側面に、外甲部側の開閉部縁４ｂから外にはみ出さないように且つ前記内甲部側の面状ファスナー７ａと８ａと係止可能に対向する位置に外甲部側の複数個（この場合は７ｂと８ｂの２個）の平面形状が略楕円形状の面状ファスナーが設けられており、前記内甲部側のテープ状台布３ａの上に設けられた面状ファスナー（７ａ、８ａ）の横幅ｗ１（図３参照）は、対向する外甲部側の面状ファスナー（７ｂ、８ｂ）の横幅ｗ２並びに前記内甲部側の前記テープ状台布３ａの横幅ｗ３より小さく且つ、前記内甲部側の前記テープ状台布３ａの縁５と１５（図３参照）のうち内甲部側の開閉部縁４ａへ取り付けられている側の縁１５より、前記内甲部側の面状ファスナー（７ａ、８ａ）の前記内甲部側の開閉部縁４ａ側の縁１８が前記テープ状台布３ａの横幅方向内側（内側とはテープ状台布３ａの縁１５より内側、すなわち、縁部５の方向）に入る位置に取り付けられている。
【００２７】
内甲部側の面状ファスナー（７ａ、８ａ）と外甲部側の面状ファスナー（７ｂ、８ｂ）はそれぞれの対向面で互いに係止可能（オスとメス）となっている。
【００２８】
この実施の形態例では、面状ファスナーは、片側に夫々２個づつ取り付けられているが、必要に応じて、３個以上にしてもよい。中央縫合ライン２の終端部（符号１０が示されている位置）には、中央縫合ライン２の前記終端部近傍の縫合の強度を向上させるため、この例では、カン止めと称される中央縫合ライン２を横切る方向の縫合ライン１１で補強縫合部を設けている。
【００２９】
そして、前記内甲部側の面状ファスナーは、前記内甲部側の前記テープ状台布３ａの縁のうち内甲部側の開閉部縁４ａへ取り付けられている側の縁１５より、前記内甲部側の面状ファスナー（７ａ、８ａ）の前記内甲部側の開閉部縁４ａ側の縁１８が前記テープ状台布の横幅方向内側に３〜１０ｍｍ入る位置、すなわちｗ５の長さが３〜１０ｍｍの位置に取り付けられていることが好ましく、より好ましくはｗ５の長さが５〜８ｍｍである。対向する面状ファスナーをあわせて開閉部を閉じる場合に、合わせ位置を少しずらせることにより、開閉部を閉じた状態での足周径方向の寸法を微調整し、合わせ目を少々ずらした場合でも、内甲部側面状ファスナーの一部が露出しないという利点が発揮され好ましい。ただ、ｗ５の長さがあまり長すぎると、開閉部を閉じている状態においても、足甲部中央縫合ラインの延長部である開閉部のラインが若干開き気味になりやすくなるおそれがあるので、ｗ５の長さは上記の範囲が好ましい。また、前記内甲部側の面状ファスナーの横幅ｗ１が前記外甲部側の面状ファスナーの横幅ｗ２の５０〜８０％であることが好ましい。前記内甲部側の面状ファスナーの横幅は、対向する外甲部側の面状ファスナーの横幅より上述の如く小さく、言い換えれば、外甲部側の面状ファスナーの横幅が前記内甲部側の面状ファスナーの横幅より大きいので、着用者の足のサイズにより前述のように合わせ目を少々ずらした場合でも、対向する面状ファスナー間の接触面積があまり変わらないと言う利点がある。上記の範囲であれば、その効果が好適に発揮され好ましい。
以上は、請求項１の足袋の理解を容易にするため請求項１に記載した足袋の構成要件に沿って、本考案の足袋の一態様を説明したものである。
【００３０】
次に請求項２に記載の足袋の理解を容易にするため請求項２に記載した足袋の構成要件に沿って、本考案の足袋の一態様を説明する。図面としては、同様に図１、図２、図３並びにその他の図面を引用しながら説明する。請求項２に記載の本考案の足袋は、足甲側の足上部被覆部１を構成する内甲部と外甲部との中央縫合ライン２の前足首９（図２参照）から足甲ほぼ中央部近傍より若干足首側寄り１０（図２参照）までを縫合せずに開閉部として開閉可能にし、前記開閉部の内甲部側の開閉部縁４ａ並びに外甲部側の開閉部縁４ｂに、テープ状台布３ａ、３ｂが取り付けられており（後述するが、テープ状台布３ａと３ｂは、連続したものであってよい）、内甲部側に位置するテープ状台布３ａと外甲部側に位置するテープ状台布３ｂのそれぞれの対抗面に互いに係止可能な（オスとメスの）面状ファスナー７ａ、８ａ、７ｂ、８ｂが取り付けられている。この実施の形態例では、面状ファスナーは、片側に夫々２個づつ取り付けられているが、必要に応じて、３個以上にしてもよい。中央縫合ライン２の終端部（符号１０が示されている位置）には、中央縫合ライン２の前記終端部近傍の縫合の強度を向上させるため、この例では、カン止めと称される中央縫合ライン２を横切る方向の縫合ライン１１で補強縫合部を設けている。
【００３１】
前記テープ状台布３ａと３ｂ（この実施形態例では、テープ状台布３ａと３ｂは、連続した一体ものである）は、後述する図４（ｂ−１）、（ｂ−２）、（ｂ−３）及び図４（ｄ）に示される様に、その幅のほぼ中央で二つ折りにしたテープ状台布からなり（この場合、開放側の縁を更に内側に折り込んで縁がほつれないようにしている）、前記テープ状台布の長手方向に伸びる二つの開放縁３ｘ、３ｙ（図４（ｂ−３）及び足首近傍の断面の端面模式図である後述する図７（Ａ）参照）で、前記開閉部縁４ａ、４ｂを夫々挟むように（後述する図７（Ａ）参照）、テープ状台布の長手方向の開放縁３ｘ、３ｙが前記開閉部縁４ａ、４ｂに縫合ライン３ｐ、３ｑ（図１及び後述する図５（ｅ）、図７（Ａ）参照）で縫合され（この態様の場合、図５（ｅ）からも明らかな様に、縫合ライン３ｐ、３ｑは、連続した縫合ラインとなる）、かつ、内甲部側に位置するテープ状台布３ａの外側面にその長手方向に間隔を置いて複数個（この場合は７ａと８ａの２個）の平面形状が丸形状の面状ファスナーが設けられており、外甲部側に位置するテープ状台布３ｂは、前記開閉部縁４ｂとの縫合ライン３ｑ近傍（テープ状台布３ｂのつけ根部分近傍）であって外甲側足上部被覆部１ｂが表れている部分（後述する図７（Ｂ）の１ｂｂ部参照）から足袋内側に折り曲げられて（図７（Ｂ）参照）、前記開閉部縁との縫合ライン３ｑとは反対側の縁部は少なくとも上部近傍（図１、図２、図７（Ｂ）の縫合ライン６参照）で足袋本体の裏側に縫合され、表れたテープ状台布の肌側面に外甲部側の開閉部縁４ｂから外にはみ出さないように且つ前記内甲部側の面状ファスナー（７ａ，８ａ）と係止可能に対向する位置に外甲部側の複数個（この場合は７ｂと８ｂの２個）の平面形状が略楕円形状の面状ファスナーが設けられている。本考案の請求項２においては、上述した「外甲部側に位置するテープ状台布３ｂは、前記開閉部縁４ｂとの縫合ライン３ｑ近傍（テープ状台布３ｂのつけ根部分近傍）であって外甲側足上部被覆部１ｂが表れている部分（後述する図７（Ｂ）の１ｂｂ部参照）から足袋内側に折り曲げられて」いると同等のことを、表現が複雑になるので、単に、「外甲部側に位置するテープ状台布は、前記開閉部縁との縫合部分から足袋内側に折り曲げられて」と表現しているが、この意味は、上記のような状態を意味するものである。
【００３２】
そして前記内甲部側のテープ状台布３ａの上に設けられた面状ファスナー（７ａ、８ａ）の横幅ｗ１（図３参照）は、対向する外甲部側の面状ファスナー（７ｂ、８ｂ）の横幅ｗ２並びに前記内甲部側の前記テープ状台布３ａの横幅ｗ３より小さく、且つ前記内甲部側の面状ファスナーは前記内甲部側の前記テープ状台布３ａの縁５と１５（図３参照）のうち内甲部側の開閉部縁４ａへ取り付けられている側の縁１５より、前記内甲部側の面状ファスナー（７ａ、８ａ）の前記内甲部側の開閉部縁４ａ側の縁１８が前記テープ状台布３ａの横幅方向内側（内側とはテープ状台布３ａの縁１５より内側、すなわち、縁部５の方向）に入る位置に取り付けられている。
【００３３】
内甲部側の面状ファスナー（７ａ、８ａ）と外甲部側の面状ファスナー（７ｂ、８ｂ）はそれぞれの対向面で互いに係止可能（オスとメス）となっている。
【００３４】
この実施の形態例では、面状ファスナーは、片側に夫々２個づつ取り付けられているが、必要に応じて、３個以上にしてもよい。中央縫合ライン２の終端部（符号１０が示されている位置）には、中央縫合ライン２の前記終端部近傍の縫合の強度を向上させるため、この例では、カン止めと称される中央縫合ライン２を横切る方向の縫合ライン１１で補強縫合部を設けている。
【００３５】
そして、前記内甲部側の前記テープ状台布３ａの縁のうち内甲部側の開閉部縁４ａへ取り付けられている側の縁１５より、前記内甲部側の面状ファスナー（７ａ、８ａ）の前記内甲部側の開閉部縁４ａ側の縁１８が前記テープ状台布の横幅方向内側に３〜１０ｍｍ入る位置、すなわちｗ５の長さが３〜１０ｍｍの位置に取り付けられていることが好ましく、より好ましくはｗ５の長さが５〜８ｍｍである。対向する面状ファスナーをあわせて開閉部を閉じる場合に、合わせ位置を少しずらせることにより、開閉部を閉じた状態での足周径方向の寸法を微調整し、合わせ目を少々ずらした場合でも、内甲部側面状ファスナーの一部が露出しないという利点が発揮され好ましい。ただ、ｗ５の長さがあまり長すぎると、開閉部を閉じている状態においても、足甲部中央縫合ラインの延長部である開閉部のラインが若干開気味になりやすくなるおそれがあるので、ｗ５の長さは上記の範囲が好ましい。また、前記内甲部側の面状ファスナーの横幅ｗ１が前記外甲部側の面状ファスナーの横幅ｗ２の５０〜８０％であることが好ましい。前記内甲部側の面状ファスナーの横幅は、対向する外甲部側の面状ファスナーの横幅より上述の如く小さく、言い換えれば、外甲部側の面状ファスナーの横幅が前記内甲部側の面状ファスナーの横幅より大きいので、着用者の足のサイズにより前述のように合わせ目を少々ずらした場合でも、対向する面状ファスナー間の接触面積があまり変わらないと言う利点がある。上記の範囲であれば、その効果が好適に発揮され好ましい。尚、図３（ｂ）においてｗ４は外甲部側の内側面に取り付けられている外甲部側に位置するテープ状台布３ｂの横幅である。特に限定するものではないが、外甲部側の面状ファスナーの横幅ｗ２は、ｗ４と同じ幅でもよいが、ｗ４より若干小さめであることが好ましい。
【００３６】
以上、２つの実施形態例を取り上げて説明したが、上記で説明した何れの足袋においても、この例では、足首周りの上端の縁がほつれないように、また足首周りの上端の縁がきれいに見えるように、適宜の縁始末処理が行われている。この例では、かがり縫いの一種である通称メロウ（mellow）処理がされた足首周りの上端の縁１２とされている。縁始末処理は、適宜の縁始末処理であれば、メロウ処理に限定されるものではない。
【００３７】
前述したように、面状ファスナーは、内甲部側に位置するテープ状台布、外甲部側に位置するテープ状台布それぞれ２個で十分であるが、必要に応じ３個づつ、さらにはそれ以上の数にしてもよい。通常片側につき２個ないし３個づつが好ましく、より好ましくは２個づつである。
【００３８】
そして、上記の実施形態例においては、内甲部側の面状ファスナーの平面形状はほぼ丸形状の面状ファスナーであり、外甲部側の面状ファスナーの平面形状は横長のほぼ楕円形状の面状ファスナーである好ましい形状の面ファスナーを用いた例を示したが、面状ファスナーの平面形状はこれらのみに限定されるものではなく、本考案の目的が達成できる範囲で任意であり、三角形、四角形、それ以上の多角形、星型など、前記内甲部側のテープ状台布の上に設けられた面状ファスナーの横幅が、対向する外甲部側の面状ファスナーの横幅並びに前記内甲部側の前記テープ状台布の横幅より小さいという関係を満たせれば他の適宜の形状にしてもよい。
【００３９】
そして上述したように、内甲部側の面状ファスナーは、平面形状がほぼ丸形状、であることが特に好ましい。このような平面形状の面状ファスナーを用いることにより、仮に前記面状ファスナーの一部が露出しても、全面ベタに設けられた縁部が直線状の面状ファスナー、その他の形状の面状ファスナーが設けられている場合に較べて、平面形状がほぼ丸形状の複数の面状ファスナーの丸円弧部が少し表れる程度に見えることになり、お洒落に見えるという利点がある。
【００４０】
また、本考案の足袋においては、面状ファスナーをあわせて開閉部を閉じる場合に、合わせ位置を少しずらせることにより、開閉部を閉じた状態での足周径方向の寸法を調整することができ、この場合、合わせ位置を足周径方向の寸法が若干大きくなるようにずらした場合に、内甲部側のテープ状台布の一部が少し露出して外部から見えることになるが、この場合のテープ状台布の色又は模様については、もし、前記内甲部側のテープ状台布の少なくとも面状ファスナーが設けられている面の色又は模様が足袋本体を構成する布の表側の色又は模様と異なる場合には、例えば、伊達衿や重ね衿の如く見えてお洒落な感じを、かもし出すことができ好ましい。また、もし、当該テープ状台布の少なくとも面状ファスナーが設けられている面の色又は模様が足袋本体を構成する布の表側の色又は模様とほぼ同一である場合には、開閉部が目立ちにくく好ましい。尚、外甲部側のテープ状台布は、足袋を着用している状態では、外部から見えないので、その色又は模様は特に制限はないが、前記内甲部側のテープ状台布の少なくとも面状ファスナーが設けられている面の色又は模様と、同じにしておくことが無難である。また、更に、前記内甲部側の面状ファスナーの横幅は、対向する外甲部側の面状ファスナーの横幅より小さく、言い換えれば、外甲部側の面状ファスナーの横幅が前記内甲部側の面状ファスナーの横幅より大きいので、着用者の足のサイズにより前述のように合わせ目を少々ずらした場合でも、対向する面状ファスナー間の接触面積があまり変わらないと言う利点がある。
【００４１】
なお、足上部被覆部や、足底部を形成する足袋本体を構成する生地は、通常の生地より厚手の生地、例えば保温性を考慮するなどしてコージュロイその他の厚手の生地を用いてもよいが、テープ状台布は、通常の織物（平織り、綾織、朱子織など）のようなあまり厚手でない、通常の厚みないしはそれより若干薄手の生地を用いることが開閉部の厚さが厚くなることを防止でき好ましい。
【００４２】
足袋本体を構成する生地は、足袋に適用した場合に適宜の必要な強度を有するものであれば、特に制限するものではないが、通常、従来から足袋の本体に使用されている生地を用いることができ、特に足底部を形成する生地は、必要に応じより強度の大きい生地が用いられる。前述したように、例えば保温性を考慮する場合などコージュロイなどの厚手の生地を用いることが好ましい。コージュロイを用いた場合に、感触を向上させるには、コージュロイの立毛畝のある面を足袋肌側面にすることも好ましい。この場合、足上部被覆部を構成する部分のみ、又は足底部のみをコージュロイの立毛畝のある面を足袋肌側面にしてもよいし、両者ともコージュロイの立毛畝のある面を足袋肌側面にしてもよい。本考案で「少なくとも足底部以外の足袋本体を構成する布が、コージュロイからなり」とは、少なくとも足底部以外がコージュロイからなるのであるから、足底部が更にコージュロイからなる場合も含む意味である。また、本考案の足袋においては、少なくとも足袋本体を構成する布が、伸縮性を有する布からなることが好ましい。このようにすることにより、少々の着用者の足のサイズと足袋のサイズや形状の相違などがあった場合にも、着用者にフィットさせて着用できる。なお、コージュロイを採用する場合も伸縮性を有するコージュロイを採用することができる。
【００４３】
次に、本考案の上述したような足袋の製造工程の一例を、理解を容易にするために、図４〜６及び図７を引用しながら説明するが、本考案の足袋は何らこの製造工程で製造された足袋に限定されるものではない。尚、内甲部側の面状ファスナーの横幅や形状、対向する外甲部側の面状ファスナーの横幅や形状などの説明は、既に、上記実施形態例で説明したので、この足袋の製造工程の説明では省略している。また、理解しやすいように、図１、図２、図３も含めて、図４〜６においては、足袋の足上部被覆部１（内甲部側足上部被覆部１ａ、外甲部側足上部被覆部１ｂ）を構成する本体生地のみ（テープ状台布３ａ、３ｂや面状ファスナーは除く）について、最終的に足袋の肌側面になる部分にドットを施している。尚、図４〜６は、一連の連続した製造工程説明図であり、図７は前記製造工程の一部の工程の断面の模式的端面図であり、図７（Ａ）が図５の（ｇ）のＡ−Ａ´ラインの断面の模式的端面図であり、図７（Ｂ）が図６の（ｈ）のＡ−Ａ´ラインの断面の模式的端面図であり、図７（Ｃ）が図６の（ｉ）のＡ−Ａ´ラインの断面の模式的端面図であり、図７（Ｄ）が図２のＡ−Ａ´ラインの断面の模式的端面図である。
【００４４】
図４（ａ）に足上部被覆部１（内甲部側足上部被覆部１ａ、外甲部側足上部被覆部１ｂ）を構成する本体生地の展開平面図を示した。図４（ａ）に示した本体生地は、足袋完成品にした場合に足袋の肌側面になる方が表面になるように表示した。図４（ｂ−１）〜図４（ｂ−３）は、前記テープ状台布３ａと３ｂ（この実施形態例では、テープ状台布３ａと３ｂは、連続した一体ものである。）の形成工程図である。図４（ｂ−１）に示したテープ状台布３ａと３ｂ用の生地を、図４（ｂ−２）に示した様にその幅のほぼ中央で二つ折りにし、図４（ｂ−３）に示した様に開放側の縁を更に内側に折り込んで、あとで前記開閉部縁４ａ、４ｂと縫合した時に、縁が内側に入るようにして、縁がほつれないようにしているものである。
【００４５】
次に、図４（ｃ）に示すように、図４（ａ）に示した足上部被覆部１（内甲部側足上部被覆部１ａ、外甲部側足上部被覆部１ｂ）を構成する本体生地を外甲部側足上部被覆部１ｂ側が内甲部側足上部被覆部１ａ側の裏側に来るように曲げて、中央縫合ライン２の部分（図１、図２参照）を縫合する。足甲ほぼ中央部近傍より若干足首側寄りの位置１０（図２参照）まで縫合して中央縫合ライン２を形成する。若干足首側寄りの位置１０を多少上下に適宜調整することにより、開閉部の大きさを所望のものに調整できる。尚、４ａ、４ｂは、前述したように、開閉部の内甲部側の開閉部縁４ａ並びに外甲部側の開閉部縁４ｂである。
【００４６】
次に、図４（ｄ）及びそれに続く図５（ｅ）に示すように、図４（ｂ−３）に示したテープ状台布３ａ、３ｂを、図４（ｃ）に示した中間工程品の前記開閉部の内甲部側の開閉部縁４ａ並びに外甲部側の開閉部縁４ｂに取り付ける。前記テープ状台布の長手方向に伸びる二つの開放縁３ｘ、３ｙ（図４（ｂ−３）参照）で、前記開閉部縁４ａ、４ｂを挟むようにして（足首近傍の断面の端面模式図である後述する図７（Ａ）参照。但し、図７（Ａ）は後述する図５（ｇ）のＡ−Ａ´切断面に対応するものであるが、前記の意味が理解しやすいので仮に参照するとよい。）テープ状台布の長手方向の開放縁３ｘ、３ｙが前記開閉部縁４ａ、４ｂに縫合ライン３ｐ、３ｑ（後述する図７（Ａ）参照。但し、図７（Ａ）は後述する図５（ｇ）のＡ−Ａ´切断面に対応するものであるが、前記の意味が理解しやすいので仮に参照するとよい。）で縫合され、形を整えた状態が図５（ｆ）の工程である。図５（ｆ）の工程では、中央縫合ライン２の前記終端部近傍の縫合の強度を向上させるため、この例では、カン止めと称される中央縫合ライン２を横切る方向の縫合ライン１１で補強縫合部を設けている。
【００４７】
なお、この実施形態例では、前述したようにテープ状台布３ａと３ｂは、連続した一体ものを用いたが、必要に応じて、長手方向のほぼ中間部分３ｃで半分の長さに切断して、テープ状台布３ａと３ｂを別個のパーツとしてもよい。但し、その場合には、実際の商品とするには、前記切断端部の端始末処理が必要になり、手間が余分にかかることになる。
【００４８】
次に、図５（ｇ）に示すように、図５（ｆ）で示した中間品を表裏ひっくり返す。図５（ｆ）では、図面表側に内甲部側足上部被覆部１ａが主として表れていたが、表裏ひっくり返したので、図５（ｇ）では、図面表側に外甲部側足上部被覆部１ｂが主として表れることになる。図５（ｇ）のＡ−Ａ´断面の端面模式図を図７（Ａ）に示している。
【００４９】
次に、図５（ｇ）の矢印３０（図７（Ａ）の矢印３０）に示すように、テープ状台布３ｂを肌側に折り込む。折り込む位置は、前述した様に開閉部縁４ｂとの縫合ライン３ｑ近傍（テープ状台布３ｂのつけ根部分近傍）であって外甲側足上部被覆部１ｂが表れている部分（図７（Ｂ）の１ｂｂ部参照）から足袋内側に折り曲げられる。本考案の請求項２においては、このことを単に、「外甲部側に位置するテープ状台布は、前記開閉部縁との縫合部分から足袋内側に折り曲げられて」と表現しているが、この意味は、上記のような状態を意味するものであることは、前述したとおりである。このように図７（Ｂ）の１ｂｂ部から折り曲げることにより、足袋を着用した際に、テープ状台布３ｂのつけ根の縁が外部から見えず、すっきりした外観にすることができる。そして、この際、テープ状台布３ａ、３ｂのほぼ中間部分３ｃも足上部被覆部１本体の肌側に入るように折り込む。この状態は図６（ｈ）（図７（Ｂ））が参考になる。そして、図６（ｈ）（図７（Ｂ））に示すように、テープ状台布３ｂの前記縫合ライン３ｑとは反対側の縁部の少なくとも上部近傍（図１、図２、図６（ｈ）、図７（Ｂ）の縫合ライン６参照）が足袋本体の裏側に縫合される。この場合、テープ状台布３ａ側は、通常、図６（ｈ）の符号３１の矢印で示したような位置になりやすいが、特にこの位置に拘束されるものではなく、テープ状台布３ａの前記縫合ライン３ｐとは反対側の縁部５は、テープ状台布３ｂの場合とは異なり、足袋本体の裏側に縫合することなくフリーの状態にしておく（図７（Ｂ）参照）。
【００５０】
次いで、図６（ｉ）（図７（Ｃ））に示すように、内甲部側に位置するテープ状台布３ａの外側面にテープ状台布の幅より小さな幅を有する平面形状が丸形状の二つの面状ファスナー７ａ、８ａを取り付け、同様にテープ状台布３ｂの肌側面に横幅が面状ファスナー７ａ、８ａの横幅より大きい平面形状が略楕円形状の二つの面状ファスナー７ｂ、８ｂを取り付ける（図７（Ｃ）では図６（ｉ）で示された下側の面状ファスナー８ａ、８ｂは図示されていない）。
【００５１】
次に、図６（ｊ）に示したように、足首周りの上端の縁がきれいに見えるように、適宜の縁始末処理を行う。この例では、かがり縫いの一種である通称メロウ（mellow）処理がされた足首周りの上端の縁１２とされている。
【００５２】
最後に、図示していないが、足底部を縫合する。足底部を縫合する際には、通常、図６（ｊ）で示した中間品をもう一度表裏ひっくり返して縫合作業を行う方が縫合しやすい。この場合は、足底部を縫合後、再度表裏ひっくり返して足袋完成品となる。
【００５３】
そして、面状ファスナー７ａ、８ａと７ｂ、８ｂを重ね合わせて開口部を閉じた状態を図２と図７（Ｄ）に示した。
【００５４】
尚、上記、工程の順序は上記の順序に限られるものではなく、本考案の足袋が製造できる限り、可能な範囲で工程順を変更できることは勿論である。例えば、面状ファスナーを取り付け段階については、図５（ｆ）の工程から図５（ｇ）の工程に移る前に、或いは、図５（ｇ）の工程から図６（ｈ）の工程に移る前に、また、別の図を引用するなら、図７（Ａ）の工程から図７（Ｂ）の工程に移る前に、各テープ状台布３ａ、３ｂに夫々面状ファスナーを取り付けるとか（特に、外甲部側の面状ファスナーを取り付ける場合に、面状ファスナーを接着剤で取り付けるのではなく、縫合により取り付ける場合には、当該縫合ラインが足袋本体の外甲側に現れないので、この工程順に変更することが好ましい）、そのほか、メロウ（mellow）処理と面状ファスナー取り付け工程の順序を変えるなど適宜必要に応じて工程順を変更してもよい。さらには、本考案の足袋は、上述した製造方法で得られたもののみに限定されるものではない。
【産業上の利用可能性】
【００５５】
本考案の足袋は、開閉部が前開きタイプであるので、高齢者や子供も含めて誰にでも履き易く、開閉部に面状ファスナーが用いられているので、長時間着用したり、正座してもジッパーの場合のように、足の甲が痛くなり着用感がかなり悪くなるという問題がなく、着用感が低下せず、且つ、上述の構造としたので、足甲部中央縫合ラインとその延長部ラインによるすっきりした外観を保持し、見栄えが良好な足袋を提供できる。また、内甲部側に位置している面状ファスナーと外甲部側に位置する面状ファスナーの対向面をあわせて開閉部を閉じる場合に、合わせ目を一致させて面状ファスナーを閉じた場合には、開閉部も内甲部と外甲部との中央縫合ラインの延長線上にきれいに沿うことができ、しかも、外甲部側の開閉部縁が内甲部側の開閉部縁の段差があまり生じないか、生じたとしても外甲部側の方が若干高めになる構造なので、内甲部側の段差が高くなっている場合に較べて、内股部側から覗かないと外部からは、外甲部側の段差が見えにくく、足甲部中央縫合ライン及びその延長部である開閉部が上部まで、ほぼ均一なきれいな線状に形成されて見え、清楚な美しさを保持することができる。
【００５６】
また、面状ファスナーをあわせて開閉部を閉じる場合に、合わせ位置を少しずらせることにより、開閉部を閉じた状態での足周径方向の寸法を調整することができる。この場合、合わせ位置を足周径方向の寸法が若干大きくなるようにずらした場合に、内甲部側のテープ状台布の一部が少し露出して外部から見えることになるが、もし、当該テープ状台布の少なくとも面状ファスナーが設けられている面の色又は模様が足袋本体を構成する布の表側の色又は模様と異なる場合には、例えば、伊達衿や重ね衿の如く見えてお洒落な感じを、かもし出すことができ好ましい。また、もし、当該テープ状台布の少なくとも面状ファスナーが設けられている面の色又は模様が足袋本体を構成する布の表側の色又は模様とほぼ同一である場合には、開閉部が目立ちにくく好ましい。また、更に、前記内甲部側の面状ファスナーの横幅は、対向する外甲部側の面状ファスナーの横幅より小さく、言い換えれば、外甲部側の面状ファスナーの横幅が前記内甲部側の面状ファスナーの横幅より大きいので、着用者の足のサイズにより前述のように合わせ目を少々ずらした場合でも、対向する面状ファスナー間の接触面積があまり変わらないと言う利点がある。更に、前記内甲部側の面状ファスナーは、当該ファスナーの前記内甲部側の開閉部縁側の縁が前記テープ状台布の横幅方向内側に入る位置に取り付けられているので前述のように合わせ目を少々ずらした場合でも、内甲部側の面状ファスナーの一部が露出しないという利点もある。特に、内甲部側の面状ファスナーの平面形状をほぼ丸形状の面状ファスナーとした場合には、仮に面状ファスナーの一部が露出しても、全面ベタに設けられた面状ファスナー、その他の形状の面状ファスナーに較べて、平面形状がほぼ丸形状の複数の面状ファスナーの丸円弧部が少し表れる程度に見えることになり、お洒落に見えるという利点がある。また、面状ファスナーは、開閉部縁の長手方向に間隔を置いて複数個に分けて取り付けられているので、全面ベタに設けられた面状ファスナーに較べて、開閉部縁の足甲中央ラインのカーブに沿ったカーブをきれいに出すことができるという利点がある。しかも全面ベタに設けられた面状ファスナーの場合に正座した際に不必要にかかってくる応力により長時間座っていた場合に痛みが生じるような場合でも、複数個の面状ファスナーと面状ファスナーの間などの面状ファスナーの存在しない部分で応力を緩和して逃がすことができ、痛みの発生を緩和できる。しかも面状ファスナーが開閉部縁に沿う方向で長手方向に間隔を置いて複数個設けられているので、おなじ大きさの面ファスナーが１個しか存在しない場合に較べて、合わせ面にズレが生じることも防止できる。
【００５７】
従って、誰にでも気軽に着用することができ、足袋として有用である。
【図面の簡単な説明】
【００５８】
【図１】本考案の足袋の一実施形態例を示す開閉部を開いた状態の正面斜視図。
【図２】図１に示した足袋の開閉部を閉じた状態の正面斜視図。
【図３】図３（ａ）が、図１の内甲部側の開閉部縁近傍の部分拡大平面図、図３（ｂ）が、図１の外甲部側の開閉部縁近傍の肌側面からみた部分拡大平面図。
【図４】本考案の足袋の製造工程説明図。
【図５】図４に続く本考案の足袋の製造工程説明図。
【図６】図５に続く本考案の足袋の製造工程説明図。
【図７】本考案の足袋の製造工程の一部の工程を説明するための断面の模式的端面図。
【図８】従来の伝統的な足袋（右足用）の右親指側から見た斜視図。
【図９】従来の前開きタイプの足袋（左足用）の左小指側から見た斜視図。
【図１０】従来の前開きタイプで面状ファスナーを用いた足袋（左足用）の内踝側から見た側面側斜視図。
【符号の説明】
【００５９】
１    足上部被覆部
１ａ  内甲部側足上部被覆部
１ｂ  外甲部側足上部被覆部
１ｂｂ  開閉部縁４ｂとの縫合ライン３ｑ近傍であって外甲側足上部被覆部１ｂが表れている部分
２    中央縫合ライン
３ａ、３ｂ  テープ状台布
３ｘ、３ｙ  テープ状台布の長手方向の開放縁
３ｃ  テープ状台布３ａと３ｂの長手方向のほぼ中間部分
３ｐ、３ｑ  縫合ライン
４ａ  内甲部側の開閉部縁
４ｂ  外甲部側の開閉部縁
５    テープ状台布３ａの縫合ライン３ｐとは反対側の縁部
６    縫合ライン
７ａ、８ａ、７ｂ、８ｂ  面状ファスナー
９    前足首
１０  足甲ほぼ中央部近傍より若干足首側寄りの位置
１１  中央縫合ライン２を横切る方向の縫合ライン
１２  メロウ（mellow）処理がされた足首周りの上端の縁
１５  テープ状台布３ａの縁のうち内甲部側の開閉部縁４ａへ取り付けられている側の縁
１８  内甲部側の面状ファスナーの前記内甲部側の開閉部縁４ａ側の縁
６０  足上部被覆部
６０ａ  内甲部側足上部被覆部
６０ｂ  外甲部側足上部被覆部
６１  足甲部中央縫合ライン
６２ａ  親指部分
６２ｂ  親指部分以外の足指をまとめて収納する部分
６４  こはぜ
６５  係止糸
７０  ジッパー
８０  開閉ベルト
８１、８２  面状ファスナー
【図１】
0003128956.tif 000003
【図２】
0003128956.tif 000004
【図３】
0003128956.tif 000005
【図４】
0003128956.tif 000006
【図５】
0003128956.tif 000007
【図６】
0003128956.tif 000008
【図７】
0003128956.tif 000009
【図８】
0003128956.tif 000010
【図９】
0003128956.tif 000011
【図１０】
0003128956.tif 000012